(57)【特許請求の範囲】
【請求項１】
ユーザが使用する言語、他のユーザにより解決が期待できる物事、前記他のユーザに対して提供可能な物事のすべてを含むユーザプロファイルの入力を受け付けるユーザプロファイル取得手段と、
１以上のソーシャルネットワークサービスのサーバから、前記ユーザの外部サービスプロファイルをそれぞれ取得する外部サービスプロファイル取得手段と、
前記ユーザプロファイルと、前記外部サービスプロファイルと、を関連付けて前記ユーザ毎に記憶するプロファイルデータベースと、
前記他のユーザの前記ユーザプロファイル及び前記外部サービスプロファイルを検索できる検索手段と、を有するマッチング用Ｗｅｂアプリケーションサーバと、
ユーザデバイスと、
同期用デバイスと、を有し、
前記ユーザデバイスは、
前記ユーザが使用する言語、前記他のユーザにより解決が期待できる物事、前記他のユーザに対して提供可能な物事のすべてを含むユーザデバイスプロファイルを記憶し、
前記同期用デバイスは、
前記ユーザデバイスから前記ユーザデバイスプロファイルを取得し、前記マッチング用Ｗｅｂアプリケーションサーバから前記ユーザプロファイル及び前記外部サービスプロファイルのうち少なくともいずれか一方を取得するプロファイル取得手段と、
前記ユーザデバイスプロファイル、前記ユーザプロファイル及び前記外部サービスプロファイルのうち複数を同期又は関連付けるプロファイル連携手段と、
前記同期又は関連付けられたプロファイルで、前記ユーザデバイスの前記ユーザデバイスプロファイルを更新するユーザデバイスプロファイル更新手段と、
を有し、
前記ユーザデバイスは、
他のユーザデバイスとの間で前記ユーザデバイスプロファイルを送受信する通信部と、
前記ユーザデバイスが記憶している前記ユーザデバイスプロファイルと、前記他のユーザデバイスから受信した前記ユーザデバイスプロファイルと、の少なくとも一部がマッチする場合に通知を行う通知部と、をさらに有する
マッチングシステム。
【請求項２】
ユーザが使用する言語、他のユーザにより解決が期待できる物事、前記他のユーザに対して提供可能な物事のすべてを含むユーザプロファイルの入力を受け付けるユーザプロファイル取得手段と、
１以上のソーシャルネットワークサービスのサーバから、前記ユーザの外部サービスプロファイルをそれぞれ取得する外部サービスプロファイル取得手段と、
前記ユーザプロファイルと、前記外部サービスプロファイルと、を関連付けて前記ユーザ毎に記憶するプロファイルデータベースと、
前記他のユーザの前記ユーザプロファイル及び前記外部サービスプロファイルを検索できる検索手段と、を有するマッチング用Ｗｅｂアプリケーションサーバと、
ユーザデバイスと、を有し、
前記ユーザデバイスは、
前記ユーザが使用する言語、前記他のユーザにより解決が期待できる物事、前記他のユーザに対して提供可能な物事のすべてを含むユーザデバイスプロファイルを記憶し、
前記マッチング用Ｗｅｂアプリケーションサーバは、
前記ユーザデバイスから前記ユーザデバイスプロファイルを取得するプロファイル取得手段と、
前記ユーザデバイスプロファイル、前記ユーザプロファイル及び前記外部サービスプロファイルのうち複数を同期又は関連付けるプロファイル連携手段と、
前記同期又は関連付けられたプロファイルで、前記ユーザデバイスの前記ユーザデバイスプロファイルを更新するユーザデバイスプロファイル更新手段と、
をさらに有し、
前記ユーザデバイスは、
他のユーザデバイスとの間で前記ユーザデバイスプロファイルを送受信する通信部と、
前記ユーザデバイスが記憶している前記ユーザデバイスプロファイルと、前記他のユーザデバイスから受信した前記ユーザデバイスプロファイルと、の少なくとも一部がマッチする場合に通知を行う通知部と、をさらに有する
マッチングシステム。
【発明の詳細な説明】
【技術分野】
【０００１】
本発明は、目的に応じたユーザの検索や解決したいニーズの投稿、ユーザが設定するプロファイルから使用言語、サポート要否／可否、交流可否を識別、マッチングを実行する無線通信デバイス、プログラム、システムに関する。
【背景技術】
【０００２】
世界のどの国においても人種、国籍、性別、年齢にかかわらず初対面の相手がどの言語を使用するのか、複数言語を使用するのかを目視のみで特定や識別することは難しく、主として外国出身者の使用する言語を認識するには二者間で二者が使用するどちらかの言語で会話や筆談、翻訳機能を有するツールを使用する必要がある。
【０００３】
また、その二者が長期的、短期的にどのような解決したいニーズを抱えているのか、相手の存在を目視にて認識した時点において何らかの手助けを望んでいるのかまたは手助けをすることが可能なのか、不慣れな場所において相手との交流を望んでいるのかを認識するのにもやはり会話や筆談、翻訳機能を有するツールを使用する必要がある。
【０００４】
Ｂｌｕｅｔｏｏｔｈ（登録商標）の近距離無線通信規格を利用したデバイス同士で直接通信を行う技術が知られている。Ｂｌｕｅｔｏｏｔｈ（登録商標）は用途や機器によって実装すべき機能を「プロファイル」として個別に規定しており、１対１の接続を基本としているが上記プロファイルを使用せずにＢｌｕｅｔｏｏｔｈ（登録商標）通信を行えば、１台のデバイスに複数のデバイスを接続する方法がある。
【０００５】
デバイス同士の接続が可能な方法としてＷｉ−Ｆｉ  Ｄｉｒｅｃｔ（登録商標）という通信方式やＺｉｇｂｅｅ（登録商標）という通信規格もある。
【０００６】
また、ＧＰＳ（Ｇｌｏｂａｌ  Ｐｏｓｉｔｉｏｎｉｎｇ  Ｓｙｓｔｅｍ）を利用して位置情報を提供するサービスが知られている。
【０００７】
例えば、位置検索の対象となる人にＧＰＳ受信機が内蔵されたデバイスを所持させたり、位置検索の対象となるものにＧＰＳ受信機が内蔵されたデバイスをつけたりする。位置情報を提供する際には、デバイスに内蔵されたＧＰＳ受信機の位置により、位置検索の対象となる人やものを特定する。
【０００８】
従来から、機器間での通信に対応したシステムが知られている。特許文献１には、自己の位置を取得し、予め登録された電文交換情報リストに基づき送付先を選別し、自己の位置情報を含めた電文を組立て、送信する第１の携帯情報端末に対して、無線接続された第１のアクセサリ型通信機が電文の送信を指示し、その電文を受けた第２の携帯情報端末が、電文中の第１の携帯情報端末の位置近傍の地図情報を入手し、地図に当該位置をプロットして表示し、第２の携帯情報端末の第２のアクセサリ型通信機から、第１のアクセサリ型通信機音響装置を無線で制御し、音響を鳴動させて接近することを可能にする捜索装置が開示されている。
【先行技術文献】
【特許文献】
【０００９】
【特許文献１】特開２０１３−００８１８４号公報
【発明の概要】
【発明が解決しようとする課題】
【００１０】
しかしながら、特許文献１で開示されている構成は、被害者の位置を正確に探知するという課題については有効であるが、支援を要している人および救援者または支援者の使用可能な言語を相互に把握すること、電気通信手段がない状況においておよび／または装置を用いていない場合においてもサポートを要している人やサポートが可能な人を把握すること、相手の情報として、名前やメールアドレスなどの連絡先以外に、関心事や素性についても対面する前に把握すること、救援を要する非常事態発生時以外の場面においても、生活上のあらゆるニーズを解決してくれる可能性のある相手を世界中から検索する手段およびサポートが可能な物事について全世界に発信する手段と連携してマッチングが成立するかを判定し、リアルタイムに新たなコミュニケーションを創出することについては効果を奏さない。
【００１１】
国外旅行者は自身の話せる言語が通じない渡航先において何をするにもどこに自身の話す言語の話者がいるのかをリアルタイムに把握することが難しく困ることが多い。
【００１２】
また、国外旅行者は自身の話せる言語が通じない渡航先において無料のＷｉ−Ｆｉ（登録商標）を利用できるエリアが限定的なため、ネットワーク接続機器を携帯していてもネットワーク機能を十分に活用することが難しく困ることが多い。
【００１３】
外国出身の中長期滞在者は滞在先の国の言葉を話せない場合、何をするにもどこに自身の話す言語の話者がいるのかをリアルタイムに把握することが難しく困ることが多い。
【００１４】
また、例えば図書館や喫茶店などで滞在国の言語を学習している外国出身の中長期滞在者が、会話力を高めるために日頃から滞在国出身者と話す機会を持ちたいと思っていた場合、館内や店内で外国出身の中長期滞在者の近くに無償で会話の相手が可能な資質を持つ滞在国出身者／居住者がいたとしても、双方共に、きっかけがないおよび／または会話が可能な相手かを察知することができないため、どちらからも話しかけることがなく、無償で気軽に話せる相手を見つけることが難しい。
【００１５】
聴覚障害者は手話を用いてコミュニケーションをとりたい時に手話のできる人がどこにいるのかリアルタイムに把握することが難しく困ることが多い。
【００１６】
視覚障害者またはその他の障害者、高齢者、妊婦、病人は誰かの助けを求めたい時に快く助けの手を差し伸べることができる人がどこにいるのかリアルタイムに把握することが難しく困ることが多い。
【００１７】
困っているように見える外国人旅行者もしくは中長期滞在者を見かけた際に、使用する言語や誰かの手を借りたいと思っているかが目視では識別できないため、話しかけることを躊躇することが多い。
【００１８】
視聴覚またはその他の障害者を援助できる資質を持っていても、どこに困っていて助けを求めている障害者がいるのかをリアルタイムに把握することが難しいため、助ける機会を逃してしまうことが多い。
【００１９】
言語の問題がないもしくはクリアできた場合であっても初対面の二者が相手の存在を認識した時点において何らかの手助けやサポートを必要としているかまたはサポートを求めることが可能か、また会話などの交流を望んでいるかを会話せずに把握することは難しく、やはり相手に話しかけるもしくは働きかけることを躊躇することが多い。また、互いの解決したい生活上のニーズを対面する前に把握することは難しく短時間で片方または互いに有意義な出会いとなることは少ない。
【００２０】
スマートフォンやタブレットコンピュータなどの電子デバイスはバッテリーが切れると機能を活用することができなくなり困ることが多い。
【００２１】
国外旅行時などレストランなどまたはその他の店舗を選ぶ際、旅行者の使用する言語を理解可能なスタッフがいることを事前にまたはリアルタイムに把握することができるのなら、言語の障壁がなくなることで旅行者および店舗もしくは店舗スタッフの双方にメリットが生じる可能性が高い。
【００２２】
本発明の目的は、相手の使用可能な言語、何らかの手助けを求めているかまたは手助けが可能か、会話や交流を望んでいるか、生活上のニーズを満たす相手を探しているか、などを、相手の存在を目視にて認識する前にもしくは認識直後におよび／または話しかけることなく識別または把握することで効率的で実用的なコミュニケーションをリアルタイムに、また上記コミュニケーションのスタイルを世界的に提供することである。
【００２３】
また、本発明の目的は、公共施設や民間施設、その他の拠点において対応可能な言語についての情報を受発信するための手段および方法を世界的に提供することである。
【課題を解決するための手段】
【００２４】
本発明は無線通信モジュールを有するデバイスとの間で無線にてデバイス間通信を行う無線通信デバイスであって、上記デバイスは、複数の上記デバイスのうちの少なくとも１つのデバイスに接続されるように構成され、上記デバイスは、メモリ部を含み、上記メモリ部には、上記デバイスを使用するユーザの少なくとも１つの使用可能な言語、道案内などのサポートの希望有無および／またはサポートの可否、会話などの交流の希望有無のうちの少なくとも１つがユーザデバイスプロファイルとして予め格納されており、上記ユーザデバイスプロファイルは、ユーザによる上記デバイスと接続された外部設定用デバイスまたは直接上記デバイスへの操作によって選択および保存され、プロセッサ部は、上記デバイスを使用するユーザの操作または設定に従い上記ユーザデバイスプロファイルを上記少なくとも１つのデバイスとの間でデバイス間通信手段を介して送信または受信することと、受信した上記ユーザデバイスプロファイルに対して上記デバイスを使用するユーザの操作または設定に従い応答情報を送信することと、プロファイルマッチング自動アラート機能を有効化することで、複数の上記ユーザデバイスプロファイルの情報から上記少なくとも１人のユーザに関連付けられた上記ユーザデバイスプロファイルの少なくとも一部分がマッチする場合、上記デバイスが自動的にマッチするユーザのユーザデバイスプロファイルを含む情報をユーザに通知することを行うように構成されている。これにより、上述した目的が達成される。
【００２５】
上記ユーザデバイスプロファイルを液晶画面などの情報表示部で表示できるように構成してもよい。
【００２６】
上記デバイスを情報表示部に表示される上記ユーザデバイスプロファイルの設定内容を見ながら操作することで、デバイス自体に設定情報が保存される上記ユーザデバイスプロファイルに、ユーザの使用可能な言語を一つまたは複数選択し設定を保存、不慣れな場所において道案内などのサポートの希望有無および／またはサポートが可能な内容や会話などの交流の希望有無を任意で選択し設定を保存、送信に関わる設定を有効にすることでユーザＡのデバイスがＢｌｕｅｔｏｏｔｈ（登録商標）規格などのデバイス間通信技術を用いてユーザＢの近距離通信デバイスと通信することができるようになる。ユーザＡのデバイスの送信信号をユーザＢのデバイスが受信するとその通知を情報表示部で認識でき、ユーザＢはユーザＡの公開設定されたユーザデバイスプロファイルを把握することができるようになる。ユーザＢは任意でユーザＡに応答できる。上記応答は当該発明のデバイスを利用の場合は予め設定されている応答メッセージの送信、専用スマートフォンアプリケーションを利用の場合は上記アプリケーションの機能であるテキストなどの自由入力で応答メッセージを送信することができる。つまり通信範囲内の複数のデバイスすなわち、デバイスを携行する複数のユーザとコンタクトを取ることができる。
【００２７】
上記ユーザデバイスプロファイルに保存される設定情報として、ユーザの名前（相手のデバイスに表示されるユーザネーム）、性別、年齢、職種、国籍、居住地、現在地、スケジュールと滞在地、関心事などを任意で設定できるように構成してもよい。
【００２８】
また、上記ユーザデバイスプロファイルに保存される設定情報として、通信する対象の相手の条件（例えば相手の使用言語など）を任意で設定できるように構成してもよい。
【００２９】
また、上記ユーザデバイスプロファイルに保存される設定情報として、送受信信号が有効になる通信距離（例えば半径１００メートル以内で通信など）を任意で設定できるように構成してもよい。
【００３０】
また、上記ユーザデバイスプロファイルに保存される設定情報として、送受信が有効になる時間をスケジュール的に任意で設定できるように構成してもよい。
【００３１】
また、上記ユーザデバイスプロファイルに保存される設定情報として、マッチング用Ｗｅｂアプリケーションとの連携有無の設定を任意で設定できるように構成してもよい。
【００３２】
また、通信する対象の相手の条件（例えば相手の使用言語など）を設定し相手を検索できるように構成してもよい。
【００３３】
また、上記通信する対象の相手の条件（例えば相手の使用言語など）を保存し、自分の希望する相手が設定した有効通信距離内で存在する場合にアラートとして自動的に通知を受けることができるように構成してもよい。
【００３４】
また、通信が確立した複数の相手のユーザデバイスプロファイルは通信履歴としてメモリ部に保存できるように構成することで、通信時にコンタクトが成立しなかった場合においても、通信履歴より相手のユーザデバイスプロファイルを確認することで相手が連絡手段（例えばメールアドレス、ソーシャルネットワークサービス（以下、「ＳＮＳ」と略称する）のＩＤなど）を上記ユーザデバイスプロファイルに入力している場合はコンタクトが可能となる。
【００３５】
上記無線通信モジュールには、Ｂｌｕｅｔｏｏｔｈ（登録商標）、ＺｉｇＢｅｅ（登録商標）、Ｗｉ−Ｆｉ（登録商標）、ＡＮＴ＋（登録商標）が含まれるように構成してもよい。
【００３６】
当該発明のデバイスには、位置情報取得手段としてＧＰＳ（Ｇｌｏｂａｌ  Ｐｏｓｉｔｉｏｎｉｎｇ  Ｓｙｓｔｅｍ）受信機が含まれるように構成してもよい。
【００３７】
本発明は上記デバイスを使用するユーザの少なくとも１つの使用可能な言語を上記デバイスを使用するユーザおよび上記デバイスを使用しないユーザが目視にて認識可能な手段（例えば国旗、言語コード、国コードなどを上記デバイス外部に表記）、上記サポートの希望有無および／またはサポート可否を目視にて認識可能な上記手段（例えば道案内を希望する場合、英語や滞在国で使用されている言語で「ガイド希望」などの文章やガイドの希望を連想可能なマークを上記デバイス外部に表記）、上記交流の希望有無を目視にて認識可能な上記手段（例えば会話などの交流を希望する場合、英語や滞在国で使用されている言語で「交流希望」などの文章や交流の希望を連想可能なマークを上記デバイス外部に表記）、発音部を備え、上記デバイスを使用するユーザの少なくとも１つの使用可能な言語を上記デバイスを使用するユーザが音声にて認識可能な手段（例えばスピーカから言語名を音声出力）、上記サポートの希望有無および／またはサポート可否を音声にて認識可能な上記手段、上記交流の希望有無を音声にて認識可能な上記手段、上記デバイスを使用するユーザの発する言葉を認識可能な音声入力手段の少なくとも１つを含み、人の身体、衣服に装着可能な手段または電子機器、時計、カード、バッグを含む携行品に装着もしくは実装可能な手段を備えたモバイルデバイスおよび／またはウェアラブルデバイスであることを特徴とする。これにより、上述した目的が達成される。
【００３８】
上記モバイルデバイスおよび／またはウェアラブルデバイスは、バッテリー利用時はデバイス間通信が可能であるが、バッテリーが切れた状態においてもデバイスに表記された識別情報から他ユーザおよびデバイスを使用しないすべての近距離にいる人が目視にて情報を認識することができるようになる。
【００３９】
また、上記モバイルデバイスおよび／またはウェアラブルデバイスは、バッテリーを含まない構成にしてもよい。
【００４０】
上記バッテリー部が機能していないまたは有していないデバイスは、当該発明デバイスを使用するユーザおよび上記デバイスを使用しないすべての人が目視にて情報を認識することができる非電子デバイスとして使用することができる。
【００４１】
本発明はコンピュータを用いて、利用するユーザが登録および設定を行うことで作成されるユーザプロファイルに従いマッチングの情報処理を行うプログラムであって、マッチング用Ｗｅｂアプリケーションを含み、上記ユーザのインターネットに接続可能なデバイスからアクセス可能なＷｅｂサイトを有し、上記Ｗｅｂサイトは、サーバ装置により運用され、上記ユーザが上記ユーザプロファイルとして、ユーザネーム、性別、年齢、職種、国籍、居住地、現在地、使用言語のうちの少なくとも１つをユーザの意思に従い登録する機能と、目的別のカテゴリーとして、飲食を共にする意思を持つユーザのカテゴリー、仕事を探しているユーザのカテゴリー、仕事を提供するユーザのカテゴリー、趣味を共にする意思を持つユーザのカテゴリー、物事を学ぶ意思を持つユーザのカテゴリー、物事を教えることが可能なユーザのカテゴリー、場所のガイドを探しているユーザのカテゴリー、場所のガイドが可能なユーザのカテゴリー、医療機関または医師の情報を探しているユーザのカテゴリー、医療機関または医師の情報を提供可能なユーザのカテゴリー、ボランティア活動を探しているユーザのカテゴリー、ボランティア活動が可能なユーザのカテゴリー、悩み事の相談を希望するユーザのカテゴリー、悩み事の相談を聞くことが可能なユーザのカテゴリーのうちの少なくとも１つを含み、上記カテゴリーでユーザを検索する機能と、上記カテゴリーで上記ユーザプロファイルの情報と共に投稿する機能と、上記ユーザプロファイル内に上記カテゴリーで投稿する内容と同等の情報を登録する機能と、ユーザプロファイルアラート機能を有効化することで、複数の上記ユーザプロファイルの情報から上記少なくとも１人のユーザの少なくとも１つの上記カテゴリーに基づいて少なくとも１人のユーザに関連付けられた上記ユーザプロファイルの少なくとも一部分がマッチする場合、上記サーバ装置から自動的にマッチするユーザのユーザプロファイルを含む情報を、ユーザがユーザプロファイルに設定した電子メールアドレス（Ｅメールアドレス）へ電子メール（Ｅメール）を発信もしくは上記Ｗｅｂサイト内でユーザに通知または外部インターネットサービスを介して通知する機能と、ソーシャルネットワークサービスが提供するＳＮＳアカウントでログインする機能と、上記ユーザプロファイルと上記ソーシャルネットワークサービスが提供するＳＮＳサーバから取得したＳＮＳ等外部サービスプロファイルを連携させる機能と、を有し、バッテリー部を有しているデバイスと直接無線通信してもしくはインターネットに接続可能なデバイスを介して上記ユーザデバイスプロファイルと上記ユーザプロファイルを同期または連携させる機能と、上記ユーザプロファイルと上記ＳＮＳ等外部サービスプロファイルと上記ユーザデバイスプロファイルのデータを記憶するプロファイルデータベースと、多言語で使用可能なユーザインタフェースを有することを特徴とする。これにより、上述した目的が達成される。
【００４２】
また、本発明はコンピュータを用いて、上記デバイスに同期処理を行うプログラムであって、デバイス同期用アプリケーションを含み、上記デバイス同期用アプリケーションは、上記デバイスに上記ユーザデバイスプロファイルを含む設定を行うデバイス設定用デバイスを含んで構成され、上記デバイスに上記ユーザデバイスプロファイルを含む設定を行うデバイス設定手段と、ユーザデバイスプロファイル記憶手段と、上記ユーザデバイスプロファイルと上記ユーザプロファイルを同期または連携させる機能と、上記ユーザデバイスプロファイル、上記ユーザプロファイル、上記ＳＮＳ等外部サービスプロファイルの各データのうちの少なくとも１つを記憶するプロファイルデータベースと、多言語で使用可能なユーザインタフェースを有することを特徴とする。これにより、上述した目的が達成される。
【発明の効果】
【００４３】
本発明のうち代表的な形態によれば、会話せずに初対面の相手の話せる言語を識別し、相手が手助けを必要としているかまたは手助けが可能か、会話などの交流を求めているかをインタラクティブに識別することを可能にする無線通信デバイス、そのデバイスを含めて実行されるプログラム、システムを提供することが可能になる。
【００４４】
また、本発明の一観点によれば、公共施設や、公共施設や民間施設、その他の拠点において対応可能な言語についての情報を受発信するための手段および方法を世界的に提供することが可能になる。
【００４５】
また、目視にて情報を識別可能なデバイスを使用することでデバイスを使用しない相手との交流をデバイス非利用時の時よりも多く創出する機会を提供することが可能になる。
【００４６】
さらに、上述の電子デバイス、スマートフォン、タブレットコンピュータ、パーソナルコンピュータ、デスクトップコンピュータ、ラップトップコンピュータ、ノートブックコンピュータ、ＰＤＡ（Ｐｅｒｓｏｎａｌ  Ｄｉｇｉｔａｌ  Ａｓｓｉｓｔａｎｔ）などを相互に用いることで相手の設定に従い、相手の解決したいニーズを事前または直前に把握する無線通信デバイス、プログラム、システムを提供することが可能になる。
【００４７】
本願に係る無線通信デバイス、プログラム、システムによれば、邦人間および外国人とのコミュニケーションの機会をより多く創出し、上記コミュニケーションのタイプやレベルも簡単な手助けから互いのニーズを満たすことまで対応し、ユーザの利用シーンや目的で選択可能な複数のタイプのデバイスの展開および実用的な各種連携機能を活用することで、有意義なコミュニケーションをリアルタイムに、かつ世界的に実現することができるという効果を奏する。
【００４８】
また、図１２乃至図１５で示すように、本願に係る無線通信デバイス、プログラム、システムによれば、各デバイスのタイプにより異なるフローおよびメリットを提供することやＩＴリテラシーのレベルが異なるユーザ間においてもコンタクトを成立させることが可能になる。
【図面の簡単な説明】
【００４９】
【図１】本発明の実施形態についてシステムの構成例を示す図である。
【図２】本発明の実施形態におけるデバイスの形状例を示す図である。
【図３】本発明の実施形態についてデバイスの構成例を示す図である。
【図４】本発明の実施形態における動作例を示すフローチャートである。
【図５】本発明の実施形態における処理例を示すシーケンス図（パターンＡ）である。
【図６】本発明の実施形態における処理例を示すシーケンス図（パターンＢ）である。
【図７】本発明の実施形態における処理例を示すシーケンス図（パターンＣ）である。
【図８】本発明の実施形態における処理例を示すシーケンス図（パターンＤ）である。
【図９】本発明の実施形態における処理例を示すシーケンス図（パターンＥ）である。
【図１０】本発明の実施形態における処理例を示すシーケンス図（パターンＦ）である。
【図１１】本発明の実施形態における処理例を示すシーケンス図（パターンＧ）である。
【図１２】本発明の実施形態におけるユーザデバイスプロファイル、ユーザプロファイル、ＳＮＳ等外部サービスプロファイルの設計例を示す図である。
【図１３】本発明の実施形態におけるユーザデバイスプロファイルおよびユーザプロファイルの構成例を示す図である。
【図１４】本発明の実施形態におけるデバイス毎の認識手段の例を示すマトリクス図である。
【図１５】本発明の段階的な特徴と機能レイヤーを示す図である。
【発明を実施するための形態】
【００５０】
以下の説明では、様々な実施形態の完全な理解を提供するために、いくつかの具体的な詳細を説明する。しかしながら、本発明の様々な実施形態を、これらの具体的な詳細を用いることなく実施することができる。他の例において、本発明の特定の実施形態を不明瞭にしないように、周知の方法、手順、構成要素及び回路は詳細には説明しない。なお、図中同一または相当部分には同一符号を付してその説明は繰り返さない。
【００５１】
ここで用いられる「電子デバイス」という用語は、バッテリー部を有しており電源が入れば電気的機能が稼働する状態のデバイスを表す。また「非電子デバイス」という用語は、バッテリー部を有していないまたはバッテリー部を有しているが電源が入っていない状態もしくは充電されていない状態のデバイスを表す。
【００５２】
＜システムの概要について＞
図１は、本発明の実施の形態に係るシステムの全体構成例を示す図である。図１によれば、本実施形態のデバイスは、非電子デバイス１４、電子デバイス（言語など目視／音声識別手段有り）１５、電子デバイス（言語など目視／音声識別手段無し）１６の３つに大別できるデバイス、専用スマートフォンアプリ１７、マッチング用Ｗｅｂアプリケーションクライアント１８の計５タイプのシステム利用手段（図示２３）があり、識別／通信手段２４の各手段を用いてユーザＢの手段（図示２５）である各デバイスとやりとりを行う。さらに電子デバイス１５、電子デバイス１６、専用スマートフォンアプリ１７、マッチング用Ｗｅｂアプリケーションクライアント１８は通信種別２２の各手段を用いて電子デバイス設定用デバイス１およびサーバシステム６とやりとりを行うよう構成されている。
【００５３】
図１中の通信ネットワーク３０はデータ送受信が可能な通信路である。すなわち、通信ネットワーク３０は、直接接続のための専用線（専用ケーブル）やイーサネット（登録商標）などによるＬＡＮ（Ｌｏｃａｌ  Ａｒｅａ  Ｎｅｔｗｏｒｋ）の他、電話通信網やケーブル網、インターネットなどの通信網を含み、また通信方法については有線／無線を問わない。
【００５４】
図１中のＢｌｕｅｔｏｏｔｈ（登録商標）などデバイス間通信３４はＢｌｕｅｔｏｏｔｈ（登録商標）以外の規格で実施することも可能であるが、その規格は１つの規格に統一することで世界のどの国においてもデバイス間通信が可能となる。
【００５５】
［動作例］
図４は、本実施形態におけるユーザの操作と図１中の非電子デバイス１４および電子デバイス１５または１６の動作を示すフローチャートである。なお、図４では、ステップを「Ｓ」と略称する。
【００５６】
ユーザＡのデバイスにバッテリーが具備されており、充電されている場合は、ステップＳ２へ進む（ステップＳ１）。
【００５７】
ユーザＡのデバイスに図３中の無線通信モジュール４５、プロセッサ部４６、ＧＰＳモジュール４７、メモリ部４８、位置情報送受信部４９、情報表示部５０、操作部５１、発音部５２、振動部５３、音声入力部５４、発光部５５が具備されている場合の例となる（ステップＳ２）。
【００５８】
ユーザＡの操作部５１への操作により、初期設定がなされる。プロセッサ部４６は、情報表示部５０（例えば、液晶画面）にユーザデバイスプロファイルを表示させる。ユーザＡが設定を完了することでユーザデバイスプロファイルはメモリ部４８に保存される（ステップＳ３）。
【００５９】
なお、ユーザデバイスプロファイルの設定内容は、ユーザが設定を変更後に保存することでプロセッサ部４６は即時に変更を反映させ、メモリ部４８に変更後の設定内容が格納される。
【００６０】
ユーザＡのデバイスのアンテナを含む無線通信モジュール４５は、ユーザデバイスプロファイルのデータを含む無線信号を送信し、他ユーザ（本例ではユーザＢ）の通信可能なデバイスの無線信号を受信することで通信可能な状態の場合、ＧＰＳモジュール４７および位置情報送受信部４９によりユーザＢへユーザＡの現在地情報を送信し、ユーザＢの現在地情報を受信する。また、プロセッサ部４６はユーザＢのデバイスとの距離を測定し、発音部５２より距離を音声として出力させることが可能である。そして受信した現在地は情報表示部５０により地図上に表示されることでユーザＡはユーザＢとの距離や位置関係を視覚的に認識可能となる（ステップＳ４）。
【００６１】
ユーザは図１中のマッチング用Ｗｅｂアプリケーション７も利用する場合は、ユーザプロファイルを作成することが可能である（ステップＳ５）。
【００６２】
また、ユーザはユーザデバイスプロファイルとユーザプロファイルを連携させることも可能である（ステップＳ６）。
【００６３】
ユーザＡのデバイスとユーザＢのデバイスで無線通信が確立後、プロセッサ部４６は両者のユーザデバイスプロファイルの設定内容を比較し、マッチする内容があるかを判定する（ステップＳ７）。
【００６４】
ユーザはマッチングが成立する他ユーザのデバイスを認識した時に発音部５２、振動部５３、発光部５５によるデバイスの鳴動や発光、情報表示部５０に表示されるメッセージの受信により他ユーザの存在をリアルタイムに知ることが可能なプロファイルマッチング自動アラート機能を有効にすることも可能である（ステップＳ８およびステップＳ９）。
【００６５】
マッチング用Ｗｅｂアプリケーション７のユーザプロファイルと連携しているユーザＢのデバイスと通信が確立し、ユーザデバイスプロファイルのマッチングが成立したユーザＡのデバイスの情報表示部５０には、ユーザＢのユーザデバイスプロファイルの情報およびユーザプロファイルが自動表示される（ステップＳ１０）。
【００６６】
ユーザＢの上記情報を確認したユーザＡはコンタクトをとる希望がある場合は操作部５１への操作によりコンタクト希望の情報をユーザＢのデバイスへ送信することが可能である。なお、プロセッサ部４６および無線通信モジュール４５はユーザＡのデバイスからのコンタクト希望情報をユーザＢのデバイスのみへ信号を送信するが、例えば非常事態発生時などの場合はユーザの操作部５１への操作により、ユーザデバイスプロファイルのマッチングが成立しない他ユーザのデバイスに対しても通信可能な他のすべてのデバイスへ信号を送信できるように構成してもよい。また、ユーザデバイスプロファイルの設定にて非常事態発生時の信号を受信しないように設定できるように構成することも可能である（ステップＳ１１およびステップＳ１２）。
【００６７】
ユーザＡのデバイスからコンタクト希望の信号を受信したユーザＢのデバイスを情報表示部５０、発音部５２、発光部５５のうちの少なくとも１つにて確認したユーザＢはコンタクトをとることが可能な場合は操作部５１への操作によりコンタクト承諾の情報をユーザＡのデバイスへ送信することでユーザＡとユーザＢにおけるコミュニケーションが成立する（ステップＳ１３およびステップＳ１４）。
【００６８】
ステップＳ１で、ユーザＡのデバイスにバッテリー部を有していないまたは有していても充電されていない場合、デバイスの外面にユーザＡの使用言語表示手段４１、サポート希望表示手段４２、サポート可能表示手段４３、交流希望表示手段４４のうちの少なくとも１つが表示されている場合は、例えば、道案内などのサポートを要している時に、上記サポート希望表示手段４２を目視にて認識した他ユーザ（本例ではユーザＢ）がサポートすることが可能ならば、ユーザＢがユーザＡに話しかけることでサポートを目的としたコミュニケーションが成立する（ステップＳ１５乃至ステップＳ１７）。
【００６９】
また、ユーザＡはサポートは要していないが、会話などの交流を希望している場合は、上記交流希望表示手段４４を目視にて認識した他ユーザ（本例ではユーザＢ）が交流可能ならば、ユーザＢがユーザＡに話しかけることで交流を目的としたコミュニケーションが成立する（ステップＳ１８およびステップＳ１９）。
【００７０】
ステップＳ４で、ユーザＡのデバイスが他ユーザのデバイスと通信が不可の場合であっても、図１中の電子デバイス１５を使用することで他ユーザが目視にてユーザＡの希望を認識することが可能になり、非電子デバイス１４としてネットワークやバッテリーに依存しない手段によるコミュニケーションが実現する（ステップＳ２０およびステップＳ１５）。
【００７１】
ステップＳ５および／またはステップＳ６で、ユーザＢがマッチング用Ｗｅｂアプリケーション７のユーザプロファイルを作成していない場合または作成していても連携していない場合は、ユーザＡのユーザデバイスプロファイルとユーザＢのユーザデバイスプロファイルでマッチングが成立し、ユーザＡのデバイスでプロファイルマッチング自動アラート機能が有効ならば、デバイスの鳴動や発光、メッセージの受信などでユーザＢの存在を認識することが可能であるが、ユーザＡの情報表示部５０にはユーザＢのユーザデバイスプロファイルの情報のみ確認が可能となり、ユーザプロファイルの情報は確認することは不可となる（ステップＳ２１乃至ステップＳ２４）。
【００７２】
ステップＳ１３で、ユーザＡからの情報を受信したユーザＢは、ユーザＡとコンタクトをとる希望がない場合はユーザＢの操作部５１への操作より、プロセッサ部４６および無線通信モジュール４５は、ユーザＡのデバイスにコンタクト拒否の情報を送信する（ステップＳ２５）。
【００７３】
ステップＳ１７で、ユーザＢがユーザＡのサポートが不可の場合、ステップＳ１９で、ユーザＢがユーザＡとの交流が不可の場合、ステップＳ２０で、ユーザＡのデバイスで使用言語、サポート要否、交流希望について目視で識別可能な表示がない場合、ステップＳ２５で、ユーザＢからユーザＡのデバイスへコンタクト拒否の情報が送信された場合の上記いずれかの場合は、ユーザＡとユーザＢのコンタクトは不成立にて終了となり、開始より他ユーザとのマッチング処理を繰り返す。
【００７４】
なお、通信が確立した他ユーザのデバイスのユーザデバイスプロファイルの情報は、通信履歴としてメモリ部４８に格納される。ユーザの操作により、各ユーザのユーザデバイスプロファイルの情報は保存しておくことも削除することも可能である。
【００７５】
［実施の形態１］
＜ハードウェア構成＞
図１中の電子デバイス（言語など目視／音声識別手段無し）１６（以後、電子デバイス識別手段無しと称する）はハードウェア構成の実施例として、図３中の無線通信モジュール４５、プロセッサ部４６、ＧＰＳモジュール４７、メモリ部４８、位置情報送受信部４９、情報表示部５０、操作部５１、発音部５２、振動部５３、音声入力部５４を含む。
【００７６】
電源ＯＮ／ＯＦＦの状態を表すＬＥＤを発光部５５として含んでもよい。
【００７７】
また、図１中のサーバシステム６と通信を可能にするために、Ｗｉ−ｆｉモジュールを含んでもよい。
【００７８】
また、図３中の情報表示部５０に他ユーザのデバイスとの距離（例えば「５０メートル」など）を含む表示ができるように構成してもよい。
【００７９】
図２に示すように、上記デバイスの形状は既成品の内外に実装する手段または着脱可能な手段で構成してもよいし、新たに設計またはデザインして構成してもよい。
【００８０】
＜機能構成と動作＞
電源投入後は、ユーザデバイスプロファイルの設定が可能である。まずユーザ自身の情報としてユーザネーム（実名ではなくてもよい）、性別、年齢、職種、国籍、居住地、現在地、使用言語（複数登録可能）を設定する。キーボードを有していないデバイスの場合は図３中の情報表示部５０に表示されるユーザデバイスプロファイルの設定内容を見ながら予め図３中のメモリ部４８に用意された選択肢の中から図３中の操作部５１（例えばボタンやダイヤルなど）を操作して選択して設定できるよう構成することが可能である。
【００８１】
次に任意で希望する通信対象の相手の性別、年齢、職種、国籍、居住地、現在地、使用言語（複数登録可能）を設定する。
【００８２】
次に送受信可能な距離を設定し、データ送受信機能を有効に設定することで他のデバイスと通信可能な状態になる。
【００８３】
図７は、処理例を示すシーケンス図（パターンＣ）である。以下に、図７中のユーザＡ２３が電子デバイス識別手段無し１６を用いた時の処理を説明する。なお、この処理例では図１中の識別／通信手段２４としてＢｌｕｅｔｏｏｔｈ（登録商標）などデバイス間通信３４の手段としてＢｌｕｅｔｏｏｔｈ（登録商標）規格を用いているが、Ｂｌｕｅｔｏｏｔｈ（登録商標）以外のデバイス間通信技術も用いて構成してもよい。また相手ユーザとの通信において図１中の通信種別２２に表す通信ネットワーク３０を用いて構成してもよい。
【００８４】
図７によれば、データの送受信が可能な状態にあるユーザＡ２３（Ｃ−Ｓ１）およびユーザＢ２５（Ｃ−Ｓ２）のデバイスが送受信可能な状態になった時にユーザＢ２５のデバイスにユーザＡ２３の情報が通知または図３中の情報表示部５０に表示される。
【００８５】
ユーザＢ２５はユーザＡ２３のユーザデバイスプロファイルを確認し、ユーザＢ２５のユーザデバイスプロファイルの設定に従い、自動的または手動的に使用言語、サポート希望の有無および／またはサポートの可否、会話などの交流希望の有無のうちの少なくとも一つを含んだ情報をユーザＡ２３のデバイスに送信する（Ｃ−Ｓ３）。
【００８６】
ユーザＡ２３はユーザＢ２５のユーザデバイスプロファイルを確認し、応答する意思がある場合は予め図３中のメモリ部４８に用意されたメッセージ文または図３中の操作部５１による入力により返答のメッセージをユーザＢ２５のデバイスに送信する（Ｃ−Ｓ４）。
【００８７】
以上の処理によりユーザＡ２３とユーザＢ２５間におけるコミュニケーションが成立する（Ｃ−Ｓ５およびＣ−Ｓ６）。
【００８８】
図８は、図３中のＧＰＳモジュール４７を有する電子デバイス識別手段なし１６を用いた処理例を示すシーケンス図（パターンＤ）である。以下に、図８中のユーザＡ２３が電子デバイス識別手段無し１６を用いた時の処理を説明する。なお、この処理例では図１中の識別／通信手段２４に表すＢｌｕｅｔｏｏｔｈ（登録商標）などデバイス間通信３４の手段としてＢｌｕｅｔｏｏｔｈ（登録商標）規格を用いているが、Ｂｌｕｅｔｏｏｔｈ（登録商標）以外のデバイス間通信技術も用いて構成してもよい。また相手ユーザとの通信において図１中の通信種別２２に表す通信ネットワーク３０を用いて構成してもよい。
【００８９】
図８によれば、図３中のＧＰＳモジュール４７および位置情報送受信部４９が稼働状態にあるユーザＡ２３（Ｄ−Ｓ１）のデバイス情報またはユーザＡ２３の情報がマッチング用Ｗｅｂアプリケーション７にアクセスしているユーザＢ２５（Ｄ−Ｓ２）がアクセスしている上記マッチング用Ｗｅｂアプリケーション内の地図に表示されることでユーザＡ２３の現在地を認識することができる（Ｄ−Ｓ３）。
【００９０】
ユーザＢ２５はユーザＡ２３のユーザデバイスプロファイルを確認し、ユーザＢ２５のユーザプロファイルの設定に従い、自動的または手動的に使用言語、サポート希望の有無および／またはサポートの可否、会話などの交流希望の有無のうちの少なくとも一つを含んだ情報をユーザＡ２３のデバイスに送信する（Ｄ−Ｓ４）。
【００９１】
ユーザＡ２３はユーザＢ２５のユーザプロファイルを確認し、応答する意思がある場合は予め図３中のメモリ部４８に用意されたメッセージ文または図３中の操作部５１による入力により返答のメッセージをユーザＢ２５のデバイスに送信する（Ｄ−Ｓ５）。
【００９２】
以上の処理によりユーザＡ２３とユーザＢ２５間におけるコミュニケーションが成立する（Ｄ−Ｓ６およびＤ−Ｓ７）。
【００９３】
［実施の形態２］
＜ハードウェア構成＞
図１中の電子デバイス（言語など目視／音声識別手段有り）１５（以後、電子デバイス識別手段有りと称する）はハードウェア構成の実施例として、図３中の無線通信モジュール４５、プロセッサ部４６、ＧＰＳモジュール４７、メモリ部４８、位置情報送受信部４９、情報表示部５０、操作部５１、発音部５２、振動部５３、音声入力部５４、ユーザの使用な言語を他のユーザが目視にて認識可能な使用言語表示手段４１、ユーザが困っているときにサポートを求めていることを他のユーザが目視にて認識可能なサポート希望表示手段４２、ユーザが困っているときにサポートが可能なことを他のユーザが目視にて認識可能なサポート可能表示手段４３、会話などの他のユーザとの交流を求めていることを他のユーザが目視にて認識可能な交流希望表示手段４４を含む。
【００９４】
電源ＯＮ／ＯＦＦの状態を表すＬＥＤを発光部５５として含んでもよい。
【００９５】
また、図１中のサーバシステム６と通信を可能にするために、Ｗｉ−ｆｉモジュールを含んでもよい。
【００９６】
また、図３中の情報表示部５０に他ユーザのデバイスとの距離（例えば「５０メートル」など）を含む表示ができるように構成してもよい。
【００９７】
図２に示すように、上記デバイスの形状は既成品の内外に実装する手段または着脱可能な手段で構成してもよいし、新たに設計またはデザインして構成してもよい。
【００９８】
＜機能構成と動作＞
図１に示すように、電源未投入時およびバッテリーが切れている状態（図示３２）の時はすれ違う大勢の人が目視にてユーザの使用可能な言語、ユーザが何かしらのサポートを希望していること、ユーザが何かしらのサポートが可能なこと、ユーザが会話などの交流を求めていることを認識することが可能である。
【００９９】
電源投入後は、ユーザデバイスプロファイルの設定が可能である。まずユーザ自身の情報としてユーザネーム（実名ではなくてもよい）、性別、年齢、職種、国籍、居住地、現在地、使用言語（複数登録可能）を設定する。キーボードを有していないデバイスの場合は図３中の情報表示部５０に表示されるユーザデバイスプロファイルの設定内容を見ながら予め図３中のメモリ部４８に用意された選択肢の中から図３中の操作部５１（例えばボタンやダイヤルなど）を操作して選択して設定できるよう構成することが可能である。
【０１００】
次に任意で希望する通信対象の相手の性別、年齢、職種、国籍、居住地、現在地、使用言語（複数登録可能）を設定する。
【０１０１】
次に送受信可能な距離を設定し、データ送受信機能を有効に設定することで他のデバイスと通信可能な状態になる。
【０１０２】
図５は、処理例を示すシーケンス図（パターンＡ）である。以下に、図５中のユーザＡ２３が電子デバイス識別手段有り１５を用いた時の処理を説明する。なお、この処理例では図１中の識別／通信手段２４に表すＢｌｕｅｔｏｏｔｈ（登録商標）などデバイス間通信３４の手段としてＢｌｕｅｔｏｏｔｈ（登録商標）規格を用いているが、Ｂｌｕｅｔｏｏｔｈ（登録商標）以外のデバイス間通信技術も用いて構成してもよい。また相手ユーザとの通信において図１中の通信種別２２に表す通信ネットワーク３０を用いて構成してもよい。
【０１０３】
図５によれば、使用可能な言語、サポート要否およびまたはサポート可否、交流の希望有無が識別できる状態にあるユーザＡ２３（Ａ−Ｓ１）をユーザＢ２５（Ａ−Ｓ２）が目視にて認識し、希望する場合はユーザＡ２３に話しかける（Ａ−Ｓ３）。
【０１０４】
ユーザＡ２３はユーザＢ２５に対して応答する（Ａ−Ｓ４）。
【０１０５】
以上の処理によりユーザＡ２３とユーザＢ２５間におけるコミュニケーションが成立する（Ａ−Ｓ５およびＡ−Ｓ６）。
【０１０６】
上記電子デバイス識別手段有り１５の別の実施例として上述の図７、処理例を示すシーケンス図（パターンＣ）および図８、処理例を示すシーケンス図（パターンＤ）のフローであっても実現が可能である。
【０１０７】
［実施の形態３］
＜ハードウェア構成＞
図１中の非電子デバイス１４はハードウェア構成の実施例として、図３中のユーザの使用な言語を他のユーザが目視にて認識可能な使用言語表示手段４１、ユーザが困っているときにサポートを求めていることを他のユーザが目視にて認識可能なサポート希望表示手段４２、ユーザが困っているときにサポートが可能なことを他のユーザが目視にて認識可能なサポート可能表示手段４３、会話などの他のユーザとの交流を求めていることを他のユーザが目視にて認識可能な交流希望表示手段４４を含む。
【０１０８】
図２に示すように、上記デバイスの形状は既成品の内外に実装する手段または着脱可能な手段で構成してもよいし、新たに設計またはデザインして構成してもよい。
【０１０９】
＜機能構成と動作＞
上記デバイスを使用することですれ違う大勢の人が目視にてユーザの使用な言語、ユーザが何かしらのサポートを希望していることおよび／またはサポートが可能なこと、ユーザが会話などの交流を求めていることを認識することが可能である。
【０１１０】
図５は、処理例を示すシーケンス図（パターンＡ）である。以下に、図５中のユーザＡ２３が非電子デバイス１４を用いた時の処理を説明する。なお、ユーザＢ２５は、デバイス非利用者１９または専用スマートフォンアプリ１７利用者であっても実現が可能である。
【０１１１】
図５によれば、使用可能な言語、サポート要否および／またはサポート可否、交流の希望有無が識別できる状態にあるユーザＡ２３（Ａ−Ｓ１）をユーザＢ２５（Ａ−Ｓ２）が目視にて認識し、希望する場合はユーザＡに話しかける（Ａ−Ｓ３）。
【０１１２】
ユーザＡ２３はユーザＢ２５に対して応答する（Ａ−Ｓ４）。
【０１１３】
以上の処理によりユーザＡ２３とユーザＢ２５間におけるコミュニケーションが成立する（Ａ−Ｓ５およびＡ−Ｓ６）。
【０１１４】
上記非電子デバイス１４の別の実施例として図６、処理例を示すシーケンス図（パターンＢ）のフローであっても実現が可能である。
【０１１５】
［実施の形態４］
＜ハードウェア構成＞
図１中の電子デバイス設定用デバイス１はハードウェア構成の実施例として、電子デバイス同期用アプリケーション２を実行するデバイス（例えばパソコン、タブレットコンピュータ、スマートフォンなど）、ユーザデバイスプロファイル記憶手段４、電子デバイス１５および１６と同期通信（図示３１）が可能な手段を含む。
【０１１６】
また、図１中のサーバシステム６はハードウェア構成の実施例として、マッチング用Ｗｅｂアプリケーション７を実行するサーバ、ユーザプロファイル記憶手段１１、ＳＮＳ等外部サービスプロファイル記憶手段１２として用いることが可能なデータベースサーバを含む。
【０１１７】
上記サーバシステム６はオンプレミスシステムで構成してもよいし、クラウドシステムで構成してもよい。
【０１１８】
また、上記サーバシステム６はクライアントとして専用スマートフォンアプリ１７、マッチング用Ｗｅｂアプリケーションクライアント１８、上記サーバシステム６と通信が可能な手段を備える電子デバイス１５および１６と通信が可能になるように構成することができる。
【０１１９】
＜ソフトウェア構成＞
上記電子デバイス設定用デバイス１で実行されるソフトウェア構成の実施例として、電子デバイス同期用アプリケーション２を含む。
【０１２０】
また、上記サーバシステム６で実行されるソフトウェア構成の実施例として、マッチング用Ｗｅｂアプリケーション７（インターネットサイト）を含む。
【０１２１】
また、クライアントとして上記専用スマートフォンアプリ１７は、スマートフォンおよび／またはタブレットコンピュータ向けのユーザインタフェースで設計されたアプリケーション、上記マッチング用Ｗｅｂアプリケーションクライアント１８はマッチング用Ｗｅｂアプリケーション７にアクセスすることが可能な手段を含む。
【０１２２】
なお、ここで用いられる「ユーザ」という用語は、マッチング用Ｗｅｂアプリケーション６にアクセス可能なすべてのユーザを表し、当該発明デバイスのユーザに限定されるものではない。すなわち、「ユーザ」という用語は、インターネット接続デバイスを用いてマッチング用Ｗｅｂアプリケーション６にアクセス可能なすべてのユーザを表す。
【０１２３】
＜機能構成と動作＞
図１中の電子デバイス同期用アプリケーション２は、電子デバイス設定用デバイス１にインストールすることが可能なプログラムとして構成することが可能である。上記電子デバイス同期用アプリケーション２には、上記電子デバイス設定用デバイス１を介して同期通信３１を用いて同期することで図１中の電子デバイス１５または１６がデバイス側で設定できる項目および詳細な設定（例えばデバイスのファームウェアの更新など）を行うことが可能なデバイス設定手段３、上記電子デバイス１５または１６が保持しているユーザデバイスプロファイルの内容を記憶するユーザデバイスプロファイル記憶手段４、上記ユーザデバイスプロファイル記憶手段４で処理されるデータベースの各ユーザのレコードと図１中のマッチング用Ｗｅｂアプリケーション７が有するユーザプロファイル記憶手段１１およびＳＮＳ等外部サービスプロファイル記憶手段１２で処理されるデータベースの各ユーザのレコードを関連付けるプロファイル連携手段５が含まれている。
【０１２４】
上記プロファイル連携手段５を用いて上記ユーザデバイスプロファイル手段４が有するデータベースと上記ユーザプロファイル記憶手段１１および／または上記ＳＮＳ等外部サービスプロファイル記憶手段１２が有するデータベース間の相互同期、インポート、エクスポートが可能である。
【０１２５】
なお、前記ユーザデバイスプロファイルと前記ユーザプロファイルは別個に構成することで当該発明デバイスのみを利用するユーザまたはマッチング用Ｗｅｂアプリケーション７のみを利用するユーザは利用する形態によって必要最小限の手段で活用することが可能になる。すなわち、ユーザは当該発明デバイスとマッチングＷｅｂアプリケーション７の両方をセットで利用しなくてもよい。
【０１２６】
また、前記ユーザデバイスプロファイルと前記ユーザプロファイルの設定項目は全く同じ内容の構成にしてもよい。これにより、当該発明デバイスおよびマッチング用Ｗｅｂアプリケーション７の両方を利用するユーザが前記ユーザデバイスプロファイルと前記ユーザプロファイルの同期設定を有効化することで同一の内容を設定することが可能になる。
【０１２７】
また、上記プロファイル連携手段５を用いてのプロファイルの連携はユーザが任意で有効または無効に設定できる構成にしてもよい。
【０１２８】
なお、図１中の同期通信３１はデータ送受信が可能な通信路である。すなわち、同期通信３１は、直接接続のための専用線（ＵＳＢなどの専用ケーブル）やイーサネット（登録商標）などによるＬＡＮ（Ｌｏｃａｌ  Ａｒｅａ  Ｎｅｔｗｏｒｋ）の他、Ｂｌｕｅｔｏｏｔｈ（登録商標）通信、電話通信網やケーブル網、インターネットなどの通信網を含み、また通信方法については有線／無線を問わない。
【０１２９】
マッチング用Ｗｅｂアプリケーション７には、目的別のカテゴリー内で条件を設定して希望のユーザを検索（図示８）、ログイン後に目的別のカテゴリー内で条件を設定して自らのニーズを投稿（図示９）、自らのニーズをユーザプロファイルに設定した内容に基づいて、希望条件に該当するユーザが上記マッチング用Ｗｅｂアプリケーション７に存在した場合に、自動的に片方または双方に希望するユーザが存在／出現したことを通知するプロファイルマッチング自動アラート機能（図示１０）が含まれている。
【０１３０】
なお、ユーザを検索するのみの場合は、ログイン不要で実行できるように構成してもよい。
【０１３１】
上記マッチング用Ｗｅｂアプリケーション７のユーザインタフェースは多言語対応の構成にすることでより多くのユーザが利用することが可能になる。例えばユーザは「英語」で表示されている状態の時に、言語設定を「日本語」にすることで表示のレイアウトは変わらず瞬時に書式が日本語に変わるように構成することができる。
【０１３２】
また、上記マッチング用Ｗｅｂアプリケーション７はユーザアカウントとパスワードをユーザプロファイル記憶手段１１に記録される構成で新規で作成および登録することも可能であるし、複数存在するＳＮＳ等外部サービスアカウントログイン実行手段１３を含むように構成することも可能である。ユーザは上記マッチング用Ｗｅｂアプリケーション７内で作成した上記ユーザアカウントでログインするボタンをクリックまたはタップすることでログインすることも可能であるし、上記ＳＮＳアカウントでログインするボタンをクリックまたはタップすることでユーザの使用するＳＮＳアカウントとパスワードを入力しログインすることも可能である。
【０１３３】
上記ユーザアカウントを新規で作成および登録することで、ユーザのレコードは上記ユーザプロファイル記憶手段１１に記録される。また上記ＳＮＳアカウントでログインすることで、ユーザのレコードは上記ＳＮＳ等外部サービスプロファイル記憶手段１２に記録される。
【０１３４】
上記ユーザプロファイル記憶手段１１および上記ＳＮＳ等外部サービスプロファイル記憶手段１２は相互に関連付けられてデータベースに記録されるように構成することが可能である。
【０１３５】
上述のプロファイルが相互に関連付けられることで、ＳＮＳを利用していないユーザとＳＮＳを利用しているユーザとのマッチングが可能となる。一例として、ユーザが上記マッチング用Ｗｅｂアプリケーション７内で他ユーザを検索したときに、検索結果に上記ＳＮＳを利用していないユーザと上記ＳＮＳを利用しているユーザの両方が混ざって表示される、といった具合である。
【０１３６】
また、複数存在しているＳＮＳサービスのアカウントでログインを可能にすることで特定のＳＮＳサービスに依存することなくマッチングを実現することが可能になる。一例として、５つのＳＮＳサービスのアカウントでログインが可能になるように構成した場合、ユーザＡはＳＮＳサービスＡのアカウントでログイン後、ニーズを投稿、ユーザＢはＳＮＳサービスＢのアカウントでログイン後、ニーズを投稿、ユーザＣはＳＮＳサービスＣのアカウントでログイン後、ニーズを投稿、ユーザＤはＳＮＳサービスＤのアカウントでログイン後、ニーズを投稿、ユーザＥはＳＮＳサービスＥのアカウントでログイン後、ニーズを投稿したときに、ユーザＦが検索し、上記ユーザＡ、Ｂ、Ｃ、Ｄ、Ｅの投稿に検索条件がマッチしたなら、マッチした上記ユーザの投稿情報とＳＮＳサービスのマイページのリンク先が表示される、といった具合である。
【０１３７】
なお、上記ＳＮＳ等外部サービスアカウントログイン実行手段１３を備えるメリットはＳＮＳアカウントでニーズを投稿することでその投稿を認識する不特定多数のユーザにＳＮＳアカウントで投稿したユーザの実在性を高めることが期待できる点である。
【０１３８】
図１中の目的別相手検索手段８および目的別ニーズ投稿手段９には、飲食を共にする意思を持つユーザのカテゴリー、仕事を探しているユーザのカテゴリー、仕事を提供するユーザのカテゴリー、趣味を共にする意思を持つユーザのカテゴリー、物事を学ぶ意思を持つユーザのカテゴリー、物事を教えることが可能なユーザのカテゴリー、場所のガイドを探しているユーザのカテゴリー、場所のガイドが可能なユーザのカテゴリー、医療機関または医師の情報を探しているユーザのカテゴリー、医療機関または医師の情報を提供可能なユーザのカテゴリー、ボランティア活動を探しているユーザのカテゴリー、ボランティア活動が可能なユーザのカテゴリー、悩み事の相談を希望するユーザのカテゴリー、悩み事の相談を聞くことが可能なユーザのカテゴリーを選択可能な各カテゴリーとして含んだ構成にしてもよい。
【０１３９】
上述のカテゴリーで示したように、各カテゴリーにおいて物事を提供する側と提供される側の立場でユーザが検索／投稿およびユーザデバイスプロファイル／ユーザプロファイルに情報を設定できるように構成することで、ユーザが提供可能な事柄と提供希望な事柄の双方を一元に登録／設定することが可能となる。
【０１４０】
例えば、投稿ユーザＡはＳＮＳサービスＡのアカウントで上記マッチング用Ｗｅｂアプリケーション７にログイン後、上記各カテゴリーの中から物事を学ぶ意思を持つユーザのカテゴリーを選択し、物事の内容として「英語」を予め用意された選択肢の中から選び、任意で学びたい内容の詳細をテキストで入力、任意で居住地および／またはレッスンの実施希望地の選択、任意で費用の発生有無の設定として無償で学ぶ、有償で学ぶ、相談で決める、を選択肢の中から選び、上記投稿ユーザＡの使用可能な言語を第一言語から第五言語まで選択肢の中から選び、投稿ボタンをクリックまたはタップすることで投稿が完了となるように構成することが可能である。
【０１４１】
なお、上記選択可能な言語の中には「手話」を含めてもよい。
【０１４２】
上記投稿が完了時に投稿された情報はＳＮＳ等外部サービスプロファイル記憶手段１２と関連付けられてユーザプロファイル記憶手段１１に記録される。
【０１４３】
また、上記投稿が完了時に投稿された情報に基づいてプロファイルマッチング自動アラート実行手段１０が有効になるように構成してもよい。
【０１４４】
検索ユーザＢは上記カテゴリーの中から物事を学ぶ意思を持つユーザのカテゴリーを選択し、検索を実行した時に投稿ユーザＡが該当した場合は、検索結果のページに投稿ユーザＡの投稿した内容および上記投稿ユーザＡのＳＮＳサービスＡのマイページがリンク先としてＳＮＳサービスＡのプロファイルで設定している画像が表示される。検索ユーザＢは上記リンク先として表示されている画像をクリックまたはタップすることで投稿ユーザＡのＳＮＳサービスＡのマイページを閲覧することが可能となるように構成することで、検索ユーザＢは投稿ユーザＡのＳＮＳサービスＡのマイページにてコンタクトをとることが可能になる。また上記マッチング用Ｗｅｂアプリケーション７にユーザが相互にコンタクトをとることができる手段を構成することで投稿ユーザＡと検索ユーザＢ間においてコンタクトが可能になる。
【０１４５】
他の例として、東京に居住しており日本語以外にも複数の言語を話すことができる投稿ユーザＣは、上記カテゴリーの中から場所のガイドが可能なユーザを選択し、任意でガイドについての内容の詳細をテキストで入力、任意で居住地の選択、ガイドが可能な場所として「東京」を選択、任意でガイドが可能な期間を選択または入力、任意で費用の発生有無の設定として無償でガイドが可能、有償でガイドが可能、相談で決める、を選択肢の中から選び、上記投稿ユーザＣの使用可能な言語を第一言語から第五言語まで選択肢の中から選び、投稿ボタンをクリックまたはタップすることで投稿を完了した後にプロファイル連携手段５を用いて上記投稿ユーザＣが使用する電子デバイス１６が保持するユーザデバイスプロファイルに情報を同期および／またはエクスポートできるように構成することが可能である。
【０１４６】
東京を初めて訪れる日本語が母国語ではない検索ユーザＤは日本に到着する前に上記マッチング用Ｗｅｂアプリケーション７を使用し、上記カテゴリーの中から場所のガイドが可能なユーザのカテゴリーを選択し、ガイドを希望する場所として「東京」を選び上記使用可能な言語を第一言語から第五言語まで選択肢の中から選び、投稿ボタンをクリックまたはタップすることで投稿を完了した後にプロファイル連携手段５を用いて上記検索ユーザＤが使用する電子デバイス１５が保持するユーザデバイスプロファイルに情報を同期および／またはエクスポートすることで準備し、東京にて上記投稿ユーザＣの上記電子デバイス１６と上記検索ユーザＤの上記電子デバイス１５が通信可能な状態になり、相互に相手の存在を認識し、共通で使用可能な言語があることも認識、さらにガイドのニーズについてもマッチングが可能となり、母国語が異なるユーザ間においても場所を問わず、リアルタイムに互いのニーズを満たす可能性のある相手とのコミュニケーションを成立することが可能となる。
【０１４７】
上述の実施例で示したように、マッチング用Ｗｅｂアプリケーション７と当該発明デバイス（図示１５乃至図示１８何れかのデバイス）を連携した構成を展開することで当該発明デバイス間、例えばＳＮＳサービスＡのプロファイル情報を連携した電子デバイス１５を使用するユーザＡとＳＮＳサービスＢのプロファイル情報を連携した電子デバイス１６を使用するユーザＢ間においてインターネットを介すことなくデバイス間の直接通信にてＳＮＳサービスＡおよびＳＮＳサービスＢに基づいたプロファイル情報のやりとりが可能になる。
【０１４８】
さらに、ユーザＡおよび／またはユーザＢが、どのようなニーズを抱えているのかをユーザＡのデバイスとユーザＢのデバイスが通信した直後に把握することも可能になる。
【０１４９】
また、上記マッチング用Ｗｅｂアプリケーション７はインターネットのＷｅｂサイトとして展開することも可能であるため、当該発明デバイスの使用を必須としない構成にした場合においてもユーザのニーズを満たす可能性のある他ユーザの検索やユーザのニーズを投稿することで他ユーザに発信することは可能であるが、当該発明デバイスと組み合わせた構成を展開することで例えば上記マッチング用Ｗｅｂアプリケーション７を使用しない当該発明デバイスのユーザも検索対象に含まれ、より多くのマッチングの機会を創出する、などの効果を奏する。
【０１５０】
図１１は、処理例を示すシーケンス図（パターンＧ）である。以下に、図１１中のユーザＡ２３がマッチング用Ｗｅｂアプリケーションクライアント１８を用いた時の処理を説明する。
【０１５１】
図１１によれば、マッチング用Ｗｅｂアプリケーション７（以後、Ｗｅｂサイトと称する）にアクセスしている状態にあるユーザＡ２３（Ｇ−Ｓ１）をユーザＢ２５（Ｇ−Ｓ２）が上記Ｗｅｂサイト内で検索した時に結果に表示されることで認識および／または上記Ｗｅｂサイト内の地図に表示されることで現在地を認識する（Ｇ−Ｓ３）。
【０１５２】
ユーザＢ２５はユーザＡ２３のユーザプロファイルを確認し、希望する場合はユーザＡ２３に上記Ｗｅｂサイト内でメッセージを送信する（Ｇ−Ｓ４）。
【０１５３】
ユーザＡ２３は希望する場合はユーザＢ２５に対して応答する（Ｇ−Ｓ５）。
【０１５４】
以上の処理によりユーザＡ２３とユーザＢ２５間におけるコミュニケーションが成立する（Ｇ−Ｓ６およびＧ−Ｓ７）。
【０１５５】
なお、上記マッチング用Ｗｅｂアプリケーションクライアント１８の実施例は専用スマートフォンアプリ１７の実施例として図９、処理例を示すシーケンス図（パターンＥ）および図１０、処理例を示すシーケンス図（パターンＦ）であっても同様に実現が可能である。
【０１５６】
以上、本発明の好適な実施形態により本発明を説明した。ここでは、特定の具体例を示して本発明を説明したが、特許請求の範囲に定義された本発明の広範な趣旨及び範囲から逸脱することなく、これら具体例に様々な修正及び変更を加えることができることは明らかである。すなわち、具体例の詳細及び添付の図面により本発明が限定されるものと解釈してはならない。
【産業上の利用可能性】
【０１５７】
以上の説明は当該デバイスについて行ったが、携帯通信端末、携帯電話機、ＰＤＡ （携帯情報端末）等に対しても本発明の適用が同様に可能である。
【０１５８】
また本発明は、近距離通信を利用して団体での国外旅行時や国際的なイベントにおいて参加者同士および参加者と非参加者のコミュニケーションを実現する場合に利用することができる。
【０１５９】
また、図書館、店舗、病院、駅、乗物などの公共施設や民間施設および上記施設内で業務に従事するスタッフに対しても本発明を適用することで例えば対応可能言語、対応可能日時などの情報の受発信を実現する場合に利用することができる。
【符号の説明】
【０１６０】
１  電子デバイス設定用デバイス
２  電子デバイス同期用アプリケーション
３  デバイス設定手段
４  ユーザデバイスプロファイル記憶手段
５  プロファイル連携手段
６  サーバシステム
７  マッチング用Ｗｅｂアプリケーション
８  目的別相手検索手段
９  目的別ニーズ投稿手段
１０  プロファイルマッチング自動アラート実行手段
１１  ユーザプロファイル記憶手段
１２  ＳＮＳ等外部サービスプロファイル記憶手段
１３  ＳＮＳ等外部サービスアカウントログイン実行手段
１４  非電子デバイス
１５  電子デバイス（目視／音声識別手段有り）
１６  電子デバイス（目視／音声識別手段無し）
１７  専用スマートフォン用アプリ
１８  マッチング用Ｗｅｂアプリケーションクライアント
１９  デバイス非利用者
２１  システム／アプリケーション
２２  通信種別
２３  ユーザＡ（の手段）
２４  識別／通信手段
２５  ユーザＢ（の手段）
３０  通信ネットワーク
３１  同期通信
３２  バッテリー非利用時の形態
３３  目視識別
３４  Ｂｌｕｅｔｏｏｔｈ（登録商標）などデバイス間通信
４１  使用言語表示手段
４２  サポート希望表示手段
４３  サポート可能表示手段
４４  交流希望表示手段
４５  無線通信モジュール
４６  プロセッサ部
４７  ＧＰＳモジュール
４８  メモリ部
４９  位置情報送受信部
５０  情報表示部
５１  操作部
５２  発音部
５３  振動部
５４  音声入力部
５５  発光部
【要約】
【課題】話しかけることなく初対面の相手の使用可能な言語、何らかの手助けを求めているか、会話や交流を望んでいるか、生活上のニーズを満たす相手を探しているか、などを識別または把握することが可能なデバイスおよびプログラムを提供する。
【解決手段】デバイスを使用するユーザの使用可能な言語などを他の人が目視にて認識する手段および／またはデバイス間通信にて認識する手段を含み、既成品の内外に実装または人の身体や携行品などに装着する手段を備える構成にした。また、目的別のカテゴリーでユーザを検索、ユーザのニーズを投稿、ユーザプロファイルに従いマッチングの情報処理を行うプログラムとして、マッチング用Ｗｅｂアプリケーションを提供し、ユーザデバイスプロファイルの情報とユーザプロファイルの情報および／またはＳＮＳ等外部サービスのプロファイルの情報とを同期または連携させる機能を含む構成にした。
【選択図】図１【図１】
0005970739.tif 000002
【図２】
0005970739.tif 000003
【図３】
0005970739.tif 000004
【図４】
0005970739.tif 000005
【図５】
0005970739.tif 000006
【図６】
0005970739.tif 000007
【図７】
0005970739.tif 000008
【図８】
0005970739.tif 000009
【図９】
0005970739.tif 000010
【図１０】
0005970739.tif 000011
【図１１】
0005970739.tif 000012
【図１２】
0005970739.tif 000013
【図１３】
0005970739.tif 000014
【図１４】
0005970739.tif 000015
【図１５】
0005970739.tif 000016